(57)【要約】【課題】基体に吊下体を容易に吊り下げることができる吊下機構を提供する。【解決手段】吊下体を基体に吊り下げるための吊下機構１０は、基体である壁１２と吊下体である額縁１４との間に設けられる。吊下機構１０は、額縁１４の壁１２側に設けられる距離調整部材１６と、距離調整部材１６の壁１２側に設けられるロープ１８と、壁１２の額縁１４側に設けられるロープ受け２０とを有し、距離調整部材１６は、ロープ１８と額縁１４との距離を変更でき、ロープ受け２０がロープ１８を複数の接点で保持することによって、額縁１４が壁１２に吊り下げられる。距離調整部材１６は、多関節式アームが伸縮することによってロープ１８と額縁１４との距離を変更することが好ましい。【選択図】図２
2014073275.tif 000002
【特許請求の範囲】
【請求項１】
基体と吊下体との間に設けられ、前記吊下体を前記基体に吊り下げるための吊下機構であって、
前記吊下体の前記基体側に設けられる距離調整部材と、
前記距離調整部材の前記基体側に設けられるロープと、
前記基体の前記吊下体側に設けられるロープ受けとを有し、
前記距離調整部材は、前記ロープと前記吊下体との距離を変更でき、
前記ロープ受けが前記ロープを複数の接点で保持することによって、前記吊下体が前記基体に吊り下げられる吊下機構。
【請求項２】
基体と吊下体との間に設けられ、前記吊下体を前記基体に吊り下げるための吊下機構であって、
前記基体の前記吊下体側に設けられる距離調整部材と、
前記距離調整部材の前記吊下体側に設けられるロープ受けと、
前記吊下体の前記基体側に設けられるロープとを有し、
前記距離調整部材は、前記ロープ受けと前記基体との距離を変更でき、
前記ロープ受けが前記ロープを複数の接点で保持することによって、前記吊下体が前記基体に吊り下げられる吊下機構。
【請求項３】
請求項１において、
前記距離調整部材は、多関節式アームが伸縮することによって前記ロープと前記吊下体との距離を変更する吊下機構。
【請求項４】
請求項２において、
前記距離調整部材は、多関節式アームが伸縮することによって前記ロープ受けと前記基体との距離を変更する吊下機構。
【請求項５】
請求項１から４のいずれかにおいて、
前記基体は、交わる複数の面である吊下機構。
【請求項６】
請求項１から５のいずれかにおいて、
前記吊下体は、額縁である吊下機構。
【発明の詳細な説明】
【技術分野】
【０００１】
本発明は、基体と吊下体との間に設けられ、吊下体を基体に吊り下げるための吊下機構に関する。
【背景技術】
【０００２】
一般に、額縁等の吊下体を壁等の基体に吊り下げる場合、基体に設けられたフックに、吊下体に設けられたロープを掛けることによって行う。しかしながら、高所や狭所等に設けられたフックに、吊下体に設けられたロープを掛けるのは容易ではない。
【発明の概要】
【発明が解決しようとする課題】
【０００３】
本発明は、このような事情に鑑みてなされたものであり、基体に吊下体を容易に吊り下げることができる吊下機構を提供することを目的とする。
【課題を解決するための手段】
【０００４】
本発明の第１態様に係る吊下機構は、基体と吊下体との間に設けられ、吊下体を基体に吊り下げるための吊下機構であって、吊下体の基体側に設けられる距離調整部材と、距離調整部材の基体側に設けられるロープと、基体の吊下体側に設けられるロープ受けとを有し、距離調整部材は、ロープと吊下体との距離を変更でき、ロープ受けがロープを複数の接点で保持することによって、吊下体が基体に吊り下げられる。
【０００５】
本態様の吊下機構において、距離調整部材は、多関節式アームが伸縮することによってロープと吊下体との距離を変更してもよい。
【０００６】
本発明の第２態様に係る吊下機構は、基体と吊下体との間に設けられ、吊下体を基体に吊り下げるための吊下機構であって、基体の吊下体側に設けられる距離調整部材と、距離調整部材の吊下体側に設けられるロープ受けと、吊下体の基体側に設けられるロープとを有し、距離調整部材は、ロープ受けと基体との距離を変更でき、ロープ受けがロープを複数の接点で保持することによって、吊下体が基体に吊り下げられる。
【０００７】
本態様の吊下機構において、距離調整部材は、多関節式アームが伸縮することによってロープ受けと基体との距離を変更してもよい。
【０００８】
また、本発明の吊下機構において、基体は交わる複数の面であってもよい。さらに、本発明の吊下機構において、吊下体は額縁であってもよい。
【発明の効果】
【０００９】
本発明によれば、基体に吊下体を容易に吊り下げることができる。
【図面の簡単な説明】
【００１０】
【図１】本発明の第１の実施形態に係る吊下機構の側面図である。
【図２】本発明の第１の実施形態に係る吊下機構の上面図である。
【図３】本発明の第２の実施形態に係る吊下機構の側面図である。
【図４】本発明の第２の実施形態に係る吊下機構の上面図である。
【図５】本発明の他の実施形態に係る吊下機構の上面図である。
【発明を実施するための形態】
【００１１】
以下、本発明の吊下機構について、図面を参照しながら各実施形態に基づいて説明する。なお、図面は吊下機構、吊下機構を構成する部材、および吊下機構の周辺部材を模式的に表したものであり、これらの実物の寸法および寸法比は、図面上の寸法および寸法比と必ずしも一致していない。また、重複説明は適宜省略し、同一部材には同一符号を付与することがある。
【００１２】
図１は、本発明の第１の実施形態に係る吊下機構１０の側面を示す。図２は、吊下機構１０の上面を示す。本実施形態では、吊下機構１０を介して吊下体を吊り下げる基体が壁１２で、吊下機構１０を介して基体に吊り下げられる吊下体が額縁１４である。基体としては、壁以外に天井、柱、フェンス、梁、屋根等が挙げられる。吊下体としては、額縁以外に棚、電球、カメラ、スピーカー等が挙げられる。額縁１４を壁１２に吊り下げるための吊下機構１０は、壁１２と額縁１４との間に設けられる。吊下機構１０は、距離調整部材１６と、ロープ１８と、ロープ受け２０とを備える。距離調整部材１６は額縁１４の壁１２側に設けられる。
【００１３】
金属製のロープ１８は、距離調整部材１６の壁１２側に設けられる。より詳しくは、距離調整部材１６の先に設けられた爪２２，２４の間にロープ１８が設置される。なお、本出願において、ロープとは、ワイヤー、綱、縄、紐、糸等の細長いものをいう。
【００１４】
距離調整部材１６は、ロープ１８と額縁１４との距離を変更できる。本実施形態では、距離調整部材１６が金属製の２組の多関節式アームから構成され、これらの多関節式アームが伸縮することによって、ロープ１８と額縁１４との距離が短くなったり長くなったりする。ロープ１８と額縁１４との距離を変更できるため、壁１２に額縁１４を容易に吊り下げることができる。
【００１５】
ロープ受け２０は、壁１２の額縁１４側に設けられる。本実施形態では、ロープ受け２０は、壁１２の高所に設けられる。ロープ受け２０は、固定板２６，２８と、ロープ保持部材３０，３２とを備える。ロープ保持部材３０，３２に取り付けた固定板２６，２８を、ボルト等で壁１２に固定することによって、ロープ受け２０を壁１２に設置する。ロープ保持部材３０には溝３０ａ，３０ｂが、ロープ保持部材３２には溝３２ａ，３２ｂがそれぞれ設けられている。
【００１６】
溝３０ａ，３２ａまたは溝３０ｂ，３２ｂにロープ１８を嵌め込むことによって、壁１２に額縁１４を吊り下げる。溝３０ａ，３２ａおよび溝３０ｂ，３２ｂの二通りの嵌め込み位置があるため、額縁１４の大きさや額縁１４を設置したい向きに応じて、どちらかの溝の組を選択できる。なお、本実施形態では、１つのロープ保持部材に２本の溝が形成されているが、溝は１本であっても３本以上であってもよい。
【００１７】
このように、ロープ受け２０がロープ１８を複数の接点で保持するため、額縁１４がふらつきにくくなり安定する。なお、ロープ受け２０がロープ１８を複数の接点で保持できれば、本実施形態のように溝を設けなくてもよい。例えば、ロープ保持部材２６，２８にフックをそれぞれ設けて、これらのフックにロープ１８を引っ掛けるようにしてもよい。
【００１８】
つぎに、額縁１４の設置方法について説明する。まず、距離調整部材１６を操作して、ロープ１８と額縁１４との距離を遠ざける。すなわち、多関節式アームを伸ばした状態にする。そして、溝３０ａ，３２ａまたは溝３０ｂ，３２ｂにロープ１８を嵌め込む。つぎに、必要に応じた距離だけ多関節式アームを縮める。こうして、壁１２に額縁１４が吊り下げられる。なお、溝３０ａ，３２ａまたは溝３０ｂ，３２ｂにロープ１８を嵌め込んだり、多関節式アームを縮めたりする工程は、工具、例えば操作棒等を用いて行ってもよい。
【００１９】
図３は、本発明の第２の実施形態に係る吊下機構４０の側面を示す。図４は、吊下機構４０の上面を示す。本実施形態でも、基体が壁１２で吊下体が額縁１４である。吊下機構４０は、距離調整部材４２と、ロープ受け４４と、ロープ４６とを備える。距離調整部材４２は壁１２の額縁１４側に設けられる。距離調整部材４２は、ロープ受け４４と壁１２との距離を変更できる。本実施形態でも、距離調整部材４２が金属製の２組の多関節式アームから構成される。
【００２０】
ロープ受け４４は、距離調整部材４２の額縁１４側に設けられる。ロープ受け４４は、上面に溝４４ａを備える。金属製のロープ４６は、額縁１４の壁１２側に設けられる。より詳しくは、額縁１４の壁１２側に設けられた爪４８，５０の間にロープ４６が設置される。溝４４ａにロープ４６を嵌め込むことによって、壁１２に額縁１４を吊り下げる。
【００２１】
このように、ロープ受け４４がロープ４６を線で、すなわち複数の接点で保持するため、額縁１４がふらつきにくくなり安定する。なお、ロープ受け４４がロープ４６を複数の接点で保持できれば、本実施形態のように溝を設けなくてもよい。例えば、２本の多関節式アームの先にフックをそれぞれ設けて、これらのフックにロープ１８を引っ掛けるようにしてもよい。
【００２２】
つぎに、額縁１４の設置方法について説明する。まず、距離調整部材１６を操作して、ロープ受け４４と壁１２との距離を遠ざける。すなわち、多関節式アームを伸ばした状態にする。そして、溝４４ａにロープ４６を嵌め込む。つぎに、必要に応じた距離だけ多関節式アームを縮める。こうして、壁１２に額縁１４が吊り下げられる。なお、溝４４ａにロープ４６を嵌め込んだり、多関節式アームを縮めたりする工程は、工具、例えば操作棒等を用いて行ってもよい。
【００２３】
以上、各実施形態に基づいて本発明の吊下機構を説明したが、本発明の吊下機構は上記実施形態に限定されない。図５は、本発明の他の実施形態に係る吊下機構の上面を示す。この実施形態では、基体は交わる複数の面、すなわち２つの壁と天井が交わる３つの面である。この実施形態のような２つの壁と天井が交わる３つの面や、壁が交わる２つの面ように、部屋の隅に本発明の吊下機構を適用すれば、距離調整部材を用いて基体と額縁の距離を調整することによって、様々な大きさの額縁を壁の間に見栄え良く設置できる。
【符号の説明】
【００２４】
１０，４０  吊下機構
１２  壁
１４  額縁
１６，４２  距離調整部材
１８，４６  ロープ
２０，４４  ロープ受け
２２，２４，４８，５０  爪
２６，２８  固定板
３０，３２  ロープ保持部材
３０ａ，３０ｂ，３２ａ，３２ｂ，４４ａ  溝
【図１】
2014073275.tif 000003
【図２】
2014073275.tif 000004
【図３】
2014073275.tif 000005
【図４】
2014073275.tif 000006
【図５】
2014073275.tif 000007